(57)【特許請求の範囲】
【請求項１】
セキュリティカメラシステムであって、
ズームビューおよび広角ビューのうちの少なくとも１つを提供するレンズアセンブリと、
該レンズアセンブリの遠位方向に配置された光線操作アセンブリであって、該光線操作アセンブリは、複数の光線操作デバイスと、対応する回転アセンブリとを含んでおり、該回転アセンブリは、互いに対して該光線操作デバイスを回転させ、周囲の環境から入ってくる光線を操縦して、該セキュリティカメラシステムの視野を制御する、光線操作アセンブリと、
該レンズアセンブリおよび該光線操作デバイスを通してイメージを捕捉するイメージ捕捉デバイスと、
該レンズアセンブリおよび該光線操作アセンブリを制御して所望の視野を提供するコントローラと
を備え、該コントローラは、
該捕捉されたイメージを処理し、該入ってくる光線の該操縦からのひずみ効果に対して補正するイメージ処理モジュールと、
該視野内の物体を特定し、該光線操作アセンブリを制御し、互いに対して該光線操作デバイスを方向付け、該視野を調節し、該物体の動きに応答して該物体を包含する追跡モジュールと
を含む、セキュリティカメラシステム。
【請求項２】
前記複数の光線操作デバイスは、平面を有するプリズムを含む、請求項１に記載のシステム。
【請求項３】
前記プリズムは、前記入ってくる光線の前記操縦からの分散効果に対して補正するグレーティングを含む、請求項２に記載のシステム。
【請求項４】
前記コントローラは、前記光線操作アセンブリを制御し、互いに対して前記光線操作デバイスを方向付け、前記広角ビューを提供する前記レンズアセンブリに応答して前記入ってくる光線の操縦を抑制する、請求項１に記載のシステム。
【請求項５】
前記コントローラは、前記光線操作アセンブリを制御し、互いに対して前記光線操作デバイスを方向付け、前記ズームビューを提供する前記レンズアセンブリに応答して前記入ってくる光線の操縦を可能にする、請求項１に記載のシステム。
【請求項６】
前記光線操作アセンブリは、互いに対して前記光線操作デバイスの向きをモニタする少なくとも１つのセンサを含み、前記イメージ処理モジュールは、該光線操作デバイスの該向きに従って、前記捕捉されたイメージを処理する、請求項１に記載のシステム。
【請求項７】
前記セキュリティカメラシステムは、平らなアパーチャを含む、請求項１に記載のシステム。
【請求項８】
前記コントローラは、
前記光線操作アセンブリを制御し、互いに対して前記光線操作デバイスの向きを連続的に調節し、前記視野を変えて所望のエリアをスキャンするスキャンモジュールをさらに含む、請求項１に記載のシステム。
【請求項９】
前記コントローラは、
前記捕捉されたイメージ内の前記物体の位置を特定し、該物体の動きに応答して該物体を包含するように前記視野を調節するイメージ位置モジュールをさらに含む、請求項１に記載のシステム。
【請求項１０】
カメラシステムの視野を調節する方法であって、該カメラシステムは、レンズアセンブリと、該レンズアセンブリの遠位方向に配置された光線操作アセンブリであって、複数の光線操作デバイスを含む光線操作アセンブリと、コントローラと、イメージ捕捉デバイスとを含んでおり、該方法は、
（ａ）ズームビューおよび広角ビューのうちの少なくとも１つを提供することと、
（ｂ）該レンズアセンブリおよび該光線操作アセンブリを制御して所望の視野を提供することであって、該光線操作デバイスは、互いに対して回転させられ、周囲の環境から入ってくる光線を操縦して該視野を制御する、ことと、
（ｃ）該レンズアセンブリおよび該光線操作デバイスを通してイメージを捕捉することであって、該ステップ（ｃ）は、（ｃ．１）該捕捉されたイメージを処理し、該入ってくる光線の該操縦からのひずみ効果に対して補正することをさらに含む、ことと、
（ｄ）該視野内の物体を特定し、該光線操作アセンブリを制御し、互いに対して該光線操作デバイスを方向付け、該物体の動きに応答して該物体を包含するように該視野を調節することと
を包含する、方法。
【請求項１１】
前記複数の光線操作デバイスは、平面を有するプリズムを含む、請求項１０に記載の方法。
【請求項１２】
前記プリズムは、前記入ってくる光線の前記操縦からの分散効果に対して補正するグレーティングを含む、請求項１１に記載の方法。
【請求項１３】
前記ステップ（ｂ）は、
（ｂ．１）前記光線操作アセンブリを制御し、互いに対して前記光線操作デバイスを方向付け、前記広角ビューを提供することに応答して前記入ってくる光線の操縦を抑制することをさらに含む、請求項１０に記載の方法。
【請求項１４】
前記ステップ（ｂ）は、
（ｂ．１）前記光線操作アセンブリを制御し、互いに対して前記光線操作デバイスを方向付け、前記ズームビューを提供することに応答して前記入ってくる光線の操縦を可能にすることをさらに含む、請求項１０に記載の方法。
【請求項１５】
前記光線操作アセンブリは、互いに対して前記光線操作デバイスの向きをモニタする少なくとも１つのセンサを含み、前記ステップ（ｃ．１）は、
（ｃ．１．１）該光線操作デバイスの該向きに従って、前記捕捉されたイメージを処理することをさらに含む、請求項１０に記載の方法。
【請求項１６】
前記カメラシステムは、平らなアパーチャを含む、請求項１０に記載の方法。
【請求項１７】
前記ステップ（ｂ）は、
（ｂ．１）前記光線操作アセンブリを制御し、互いに対して前記光線操作デバイスの向きを連続的に調節し、前記視野を変えて所望のエリアをスキャンすることをさらに含む、請求項１０に記載の方法。
【請求項１８】
前記ステップ（ｄ）は、
（ｄ．１）前記捕捉されたイメージ内の前記物体の位置を特定し、該物体の動きに応答して該物体を包含するように前記視野を調節することをさらに含む、請求項１０に記載の方法。
【発明の詳細な説明】
【技術分野】
【０００１】
（１．技術分野）
本発明は、セキュリティカメラに関する。特に、本発明は、入って来る光線を操縦（ｓｔｅｅｒ）して視野を制御および調節する複数の回転可能なプリズムを含むセキュリティカメラシステムに関する。
【背景技術】
【０００２】
（２．関連技術の論議）
セキュリティカメラは、エリアにおける活動をモニタするための様々な用途に利用される。カメラは概して、その存在が知られることを防ぐために視界から隠され、該エリアの目立たないモニタリングを提供する。通常、セキュリティカメラは、半球状のドーム取り付け内に配置される。これらのタイプの取り付けは概して、オブザーバに対して不透明（例えば黒、その他、しかし近赤外線に対しては透明）であり、オブザーバが、カメラの視野（例えば、セキュリティカメラがねらいを定めているか、または向けられている位置）を判断することを妨げる。しかしながら、オブザーバは、一対の暗視タイプのゴーグルおよびドーム取り付けを照明する照明デバイスによって、ドーム取り付けを通してセキュリティカメラを観察し得る。これは、オブザーバが、カメラの照準（および視野）を判断し、該エリアでモニタされることを回避することを可能にする。
【発明の開示】
【課題を解決するための手段】
【０００３】
本発明の実施形態に従って、セキュリティカメラシステムは、光学的ズームの１つ以上の要因を有する望遠タイプのレンズを含む。周囲の環境から入って来る光線を操縦する（視野を調節するために）プリズムのセットは、レンズの前に配置される。セキュリティカメラシステムは好ましくは、広い視野を包含する広角ステアリング（ｓｔａｒｉｎｇ）モードを含む。この場合、プリズムは、操縦効果をほとんど提供しないか、または全く提供しないように方向付けられる。セキュリティカメラシステムは、ハイレゾリューションズームモードをさらに含み、この場合、望遠すなわちズームレンズは、関心の領域に焦点を当て、プリズムは、光線操縦を実行して視野を調節し、関心の領域がセキュリティカメラシステムビューの中央に残ることを可能にする。
【０００４】
イメージング用途に対するプリズムベースの光線操縦は、結果として生じるイメージに様々な効果を導入する。例えば、プリズムの分散効果は、結果として生じるイメージのコントラストおよびレゾリューションを低減する。従って、プリズムは、表面の１つに適用されるグレーティング（ｇｒａｔｉｎｇ）を含み得、それによって「グリズム（ｇｒｉｓｍ）」を作成し得る。グリズムは、関心のスペクトル範囲の上での分散を制御するための用途に対して特に設計される。プリズム光線操縦のさらなる効果は、フィールドひずみを含む。特に、プリズムが光線を操縦するとき、光線は、操縦の軸に沿って圧縮される。これは、イメージに対して「押しつぶされた」概観を作成する。例えば、最初に広い視野（例えば６０°）を有するカメラは、エッジにおいて、約１５％までのひずみを経験するが、中央にはひずみはない。しかしながら、１°の視野を有するカメラは、本質的に、視野角の関数としてのひずみを経験しない。この場合、ひずみはすべて、プリズムの操縦から生み出される。例として、４５°の操縦角を有する１°の視野は、操縦の軸に沿う押しつぶされたイメージとしての概観を呈するほぼ３０％のほぼ均一なイメージひずみを含む。これらの効果は、イメージ処理技術（例えば、イメージ操作ソフトウエアを有するプロセッサ）の使用により、本発明の実施形態によって対処される。プロセッサ（イメージ操作ソフトウエアを有する）は、セキュリティカメラアーキテクチャ内に埋め込まれ得、イメージに対する調節は、セキュリティカメラシステムが結果として生じるイメージを提供する前になされる。プロセッサは、セキュリティカメラシステムの光線操縦角および視野を考慮に入れる。
【０００５】
上述されたように、プロセッサ（および埋め込まれたソフトウエア）は、イメージひずみの修正を含む幾つかのタスクを遂行する。プロセッサは、本発明の実施形態において、モーションコントローラとしてさらに機能し、プリズムの動きまたは回転を望遠すなわちズーム能力と調整する。特に、セキュリティカメラシステムが、広い視野に対して焦点が当てられている間には、ズーミングに対する関心の特定の領域は、軸上にはないことがあり得る。この場合、ユーザは、セキュリティカメラシステムに、関心の領域に焦点を合わせるように命令し、レンズアセンブリは該エリアをズームインし、一方、プリズムは、視野をパンして標的または所望の物体を中央に維持する。
【０００６】
本発明の実施形態は、幾つかの利点を提供する。特に、本発明の実施形態は本質的に、動く外側部品を使用しない（例えば、すべての動く部品は、セキュリティカメラシステムに対して内側である）。従来のシステムは通常、特定の体積にわたってスイープするために、カメラおよびレンズ全体を動かす。しかしながら、本発明の実施形態のセキュリティカメラシステムは、アセンブリ全体を物理的に動かす必要なく広角および望遠またはズームビューイングを提供する（例えば、光線操縦を実行して視野を調節するためには、プリズムが動くかまたは回転させられるだけでよい）。これは、システムが、カメラ照準の視野を妨げる非常に小さいアパーチャを含むことを可能にする。一実施形態において、セキュリティカメラシステムは、壁または他の構造に取り付けられた小さな目立たないディスクとしての外観を呈する。セキュリティカメラシステムは、小さな形状因子および変化する条件（例えば銀行強盗、この場合、銀行は暴漢の顔の、良好なイメージを所望する）に対する素早い反応を含む。従って、セキュリティカメラシステムの近くに立つ人物は、ディスクの背後のセキュリティカメラシステムの存在に気付き得ず、向きにかかわらず、カメラビューまたは動作を判断し得ない。これは、様々なセキュリティ状況に対して、多くの利点を提供する。さらに、この機能は、野生生物のオブザーバに対して有利であり、この場合、研究者は、特定の動きが生じたとき、追跡のためにセキュリティカメラシステムを使用し得る（例えば、環境を乱す可能性ははるかに低い）。
【０００７】
さらに、望遠すなわちズームレンズは、プリズムと一体のユニットとして実装され得、この場合、望遠アセンブリ（例えばレンズおよびプリズム）は、望遠レンズの外観を有し、かつ望遠レンズとして利用され得る。これは、望遠アセンブリのユーザ（例えば写真家、セキュリティカメラシステムのオペレータ、その他）が、実際には、プリズムにより実質的に軸から外れたエリアを観察している間に、特定の方向に望遠アセンブリの照準を当てることを可能にする。オブザーバはたぶん、セキュリティカメラシステムが望遠レンズの方向に沿って向けられていると考えるので、疑わしい活動のモニタリングは、対象に対してカメラが向けられているという明白な問題を伴わずに、セキュリティカメラシステムによって実行され得る。従って、被疑者は、セキュリティカメラシステムの視野内に身を置く可能性がより大きく、これによって、より容易かつ目立たない情報の確認が可能となる。
【０００８】
従って、本発明の実施形態は、小型で、広いエリアを観察し、かつ／または詳細なイメージングに対しては狭いエリアにズームインすることができ、オブザーバがあるエリアに位置してカメラビューを判断することに挑む、セキュリティカメラシステムを提供する。
【０００９】
本発明の上述の機能および利点ならびにさらなる機能および利点が、その特定の実施形態の以下の詳細な記述を考慮することで、特に添付の図面と共に考慮されるときに、明白となり、図面においては、様々な図面における同様な参照番号は、同様なコンポーネントを指定するために利用される。
【００１０】
本発明は、さらに以下の手段を提供する。
【００１１】
（項目１）
セキュリティカメラシステムであって、
ズームビューおよび広角ビューのうちの少なくとも１つを提供するレンズアセンブリと、
該レンズアセンブリの遠位方向に配置された光線操作アセンブリであって、該光線操作アセンブリは、複数の光線操作デバイスと、対応する回転アセンブリとを含んでおり、該回転アセンブリは、互いに対して該光線操作デバイスを回転させ、周囲の環境から入ってくる光線を操縦して、該セキュリティカメラシステムの視野を制御する、光線操作アセンブリと、
該レンズおよび光線操作デバイスを通してイメージを捕捉するイメージ捕捉デバイスと、
該レンズおよび光線操作アセンブリを制御して所望の視野を提供するコントローラと
を備え、該コントローラは、
該視野内の物体を特定し、該光線操作アセンブリを制御し、互いに対して該光線操作デバイスを方向付け、該視野を調節し、該物体の動きに応答して該物体を包含する追跡モジュールを含む、セキュリティカメラシステム。
【００１２】
（項目２）
上記複数の光線操作デバイスは、平面を有するプリズムを含む、項目１に記載のシステム。
【００１３】
（項目３）
上記プリズムは、上記入ってくる光線の上記操縦からの分散効果に対して補正するグレーティングを含む、項目２に記載のシステム。
【００１４】
（項目４）
上記コントローラは、上記光線操作アセンブリを制御し、互いに対して上記光線操作デバイスを方向付け、上記広角ビューを提供する上記レンズアセンブリに応答して上記入ってくる光線の操縦を抑制する、項目１に記載のシステム。
【００１５】
（項目５）
上記コントローラは、上記光線操作アセンブリを制御し、互いに対して上記光線操作デバイスを方向付け、上記ズームビューを提供する上記レンズアセンブリに応答して上記入ってくる光線の操縦を可能にする、項目１に記載のシステム。
【００１６】
（項目６）
上記コントローラは、
上記捕捉されたイメージを処理し、上記入ってくる光線の上記操縦からのひずみ効果に対して補正するイメージ処理モジュールをさらに含む、項目１に記載のシステム。
【００１７】
（項目７）
上記光線操作アセンブリは、互いに対して上記光線操作デバイスの向きをモニタする少なくとも１つのセンサを含み、上記イメージ処理モジュールは、該光線操作デバイスの該向きに従って、上記捕捉されたイメージを処理する、項目６に記載のシステム。
【００１８】
（項目８）
上記セキュリティカメラシステムは、平らなアパーチャを含む、項目１に記載のシステム。
【００１９】
（項目９）
上記コントローラは、
上記光線操作アセンブリを制御し、互いに対して上記光線操作デバイスの向きを連続的に調節し、上記視野を変えて所望のエリアをスキャンするスキャンモジュールをさらに含む、項目１に記載のシステム。
【００２０】
（項目１０）
上記コントローラは、
上記捕捉されたイメージ内の上記物体の位置を特定し、該物体の動きに応答して該物体を包含するように上記視野を調節するイメージ処理モジュールをさらに含む、項目１に記載のシステム。
【００２１】
（項目１１）
カメラシステムの視野を調節する方法であって、該カメラシステムは、レンズアセンブリと、該レンズアセンブリの遠位方向に配置された光線操作アセンブリであって、複数の光線操作デバイスを含む光線操作アセンブリと、コントローラと、イメージ捕捉デバイスとを含んでおり、該方法は、
（ａ）ズームビューおよび広角ビューのうちの少なくとも１つを提供することと、
（ｂ）該レンズおよび光線操作アセンブリを制御して所望の視野を提供することであって、該光線操作デバイスは、互いに対して回転させられ、周囲の環境から入ってくる光線を操縦して該視野を制御する、ことと、
（ｃ）該レンズアセンブリおよび光線操作デバイスを通してイメージを捕捉することと、
（ｄ）該視野内の物体を特定し、該光線操作アセンブリを制御し、互いに対して該光線操作デバイスを方向付け、該物体の動きに応答して該物体を包含するように該視野を調節することと
を包含する、方法。
【００２２】
（項目１２）
上記複数の光線操作デバイスは、平面を有するプリズムを含む、項目１１に記載の方法。
【００２３】
（項目１３）
上記プリズムは、上記入ってくる光線の上記操縦からの分散効果に対して補正するグレーティングを含む、項目１２に記載の方法。
【００２４】
（項目１４）
上記ステップ（ｂ）は、
（ｂ．１）上記光線操作アセンブリを制御し、互いに対して上記光線操作デバイスを方向付け、上記広角ビューを提供することに応答して上記入ってくる光線の操縦を抑制することをさらに含む、項目１１に記載の方法。
【００２５】
（項目１５）
上記ステップ（ｂ）は、
（ｂ．１）上記光線操作アセンブリを制御し、互いに対して上記光線操作デバイスを方向付け、上記ズームビューを提供することに応答して上記入ってくる光線の操縦を可能にすることをさらに含む、項目１１に記載の方法。
【００２６】
（項目１６）
上記ステップ（ｃ）は、
（ｃ．１）上記捕捉されたイメージを処理し、上記入ってくる光線の上記操縦からのひずみ効果に対して補正することをさらに含む、項目１１に記載の方法。
【００２７】
（項目１７）
上記光線操作アセンブリは、互いに対して上記光線操作デバイスの向きをモニタする少なくとも１つのセンサを含み、上記ステップ（ｃ．１）は、
（ｃ．１．１）該光線操作デバイスの該向きに従って、上記捕捉されたイメージを処理することをさらに含む、項目１６に記載の方法。
【００２８】
（項目１８）
上記セキュリティカメラシステムは、平らなアパーチャを含む、項目１１に記載の方法。
【００２９】
（項目１９）
上記ステップ（ｂ）は、
（ｂ．１）上記光線操作アセンブリを制御し、互いに対して上記光線操作デバイスの向きを連続的に調節し、上記視野を変えて所望のエリアをスキャンすることをさらに含む、項目１１に記載の方法。
【００３０】
（項目２０）
上記ステップ（ｄ）は、
（ｄ．１）上記捕捉されたイメージ内の上記物体の位置を特定し、該物体の動きに応答して該物体を包含するように上記視野を調節することをさらに含む、項目１１に記載の方法。
【００３１】
（摘要）
本発明の実施形態によるセキュリティカメラシステムは、光学的ズームの１つ以上の要因を有する望遠タイプのレンズを含む。周囲の環境から入って来る光線を操縦する（視野を調節するために）プリズムのセットは、レンズの前に配置される。セキュリティカメラシステムは好ましくは、広い視野を包含する広角ステアリング（ｓｔａｒｉｎｇ）モードを含み、この場合、プリズムは、操縦効果を提供しないように方向付けられる。セキュリティカメラシステムは、ハイレゾリューションズームモードをさらに含み、この場合、望遠レンズは、関心の領域に焦点を当て、プリズムは、光線操縦を実行して視野を調節し、関心の領域または物体が、セキュリティカメラシステムビューの中央に残ることを可能にする。光線操縦角および視野を考慮して、ひずみ効果に対して補正するイメージ処理技術が使用され得る。
【発明を実施するための最良の形態】
【００３２】
（好ましい実施形態の詳細な説明）
本発明の実施形態は、複数のプリズムを含むセキュリティカメラシステムに関する。プリズムは、互いに対して回転させられ、周囲の環境から入って来る光線を操縦し、かつ視野を制御する。従って、光線の操縦は、セキュリティカメラシステムが、セキュリティカメラシステム全体を動かすことなく、エリアをスキャンすることを可能にするか、または視野を調節することを可能にする。本発明の実施形態によるセキュリティカメラシステムが、図１に例示されている。詳細には、セキュリティカメラシステム１０は、カメラすなわちイメージデバイス１２、レンズアセンブリ１４、プリズムアセンブリ１６、コントローラ１８、表示デバイス２０、およびイメージ格納ユニット２１を含む。コンポーネントは、オブザーバに対して制限された視界を有するエリア内での取り付けおよび／または配置に対して適切な任意の筐体内に置かれ得る。カメラ１２は、任意の従来の、または他のイメージングデバイスによって実装され得、好ましくはＣＣＤまたはイメージを捕捉するための他の光検出アレイを含む。レンズアセンブリ１４は、カメラ１２に結合され、望遠すなわちズームレンズ１５（図３Ａ〜図３Ｂ）を含み、好ましくは１つ以上のズームレベルおよび様々な広角ビューを提供する。レンズアセンブリは、レンズを調節して所望のビュー（例えばズームまたは広角ビュー）および対応する焦点を提供するための１つ以上のアクチュエータ１７（図３Ａ〜図３Ｂ）をさらに含む。アクチュエータは、レンズを調節（例えば回転、延長および／または接触）するための任意の従来の、または他のアクチュエータ（例えばモータ、機械的なメカニズムその他）によって実装され得、一方、レンズは、所望のズームおよび／または広角特性を提供する任意の従来の、または他のレンズによって実装され得る。
【００３３】
プリズムアセンブリ１６は、以下に記述されるように、１つ以上のプリズムを互いに対して回転させることによって、周囲の環境からレンズアセンブリ１４の中に入って来る光線を操縦し、セキュリティカメラシステムの視野を制御する。コントローラ１８は、カメラ１２、レンズアセンブリ１４、およびプリズムアセンブリ１６に結合されている。以下に記述されるように、コントローラは、任意の従来の、または他の処理デバイス（例えばマイクロプロセッサ、コントローラ、制御回路、ロジック、その他）によって実装され得、レンズおよびプリズムアセンブリを制御してセキュリティカメラシステムの視野を調節する。コントローラ１８は、カメラ１２からイメージ（レンズおよびプリズムアセンブリによって捕捉された）をさらに受け取り、以下に記述されるように、それらのイメージにイメージ処理技術を適用し（例えばひずみ、その他を除去するために）、表示デバイス２０上の表示および／またはイメージ格納ユニット２１内の格納のための結果として生じるイメージを生み出す。表示デバイスは、任意の従来の、または他のディスプレーまたはモニタ（例えばＬＣＤ、その他）によって実装され得、一方、イメージ格納ユニットは、処理されたイメージを格納するための、任意の従来の、または他のメモリもしくは格納ユニット（例えばメモリ、データベース、その他）によって実装され得る。
【００３４】
図２に例示されるように、プリズムアセンブリ１６は、入って来る光線を操縦して、セキュリティカメラシステムの視野を制御する。詳細には、プリズムアセンブリ１６は、複数のプリズム２５、複数の回転アセンブリ２３、および複数のモータ３０を含む。各プリズム２５は通常、従来のリズレータイプのウェッジ状のプリズムの光学的特性を含む。単なる例として、プリズムアセンブリは、２つの順次（例えば第１および第２の）プリズム２５に関して記述される。しかしながら、プリズムアセンブリは、２つ以上のプリズムを含み得、所望の偏向または操縦角度で光線の操縦を実行し得る。
【００３５】
プリズム２５は各々、対応する回転アセンブリ２３に取り付けられる。回転アセンブリは、任意の従来の、または他のアセンブリによって実装され得、通常は、プリズムを固定して回転させるための回転メカニズム（例えば回転リング、プラットフォームまたは他の適切な構造）を含み得る。回転アセンブリは各々、対応するモータ３０によって操作されてプリズムを互いに対して回転させ、光線に対する所望の偏向または操縦角度を生み出す。モータは、プリズムを回転させるための任意の従来の、または他のモータもしくはアクチュエータによって実装され得る。例として、プリズムアセンブリは、プリズム２５を互いに一致するように位置決めする態様で配置された２つの回転アセンブリを含む。以下に記述されるように、これは、ビームが、所望の操縦に対してプリズムを順次横切ることを可能にする。
【００３６】
モータ３０は、コントローラ１８によって制御され、プリズムを互いに対して特定の態様で回転させ、所望の光線の操縦を達成する。コントローラは基本的に、フィードバックループ内で利用されてプリズムの回転を制御する。例えば、回転アセンブリおよび／またはモータは、プリズムの回転を測定するためのセンサ２９を含み得る。センサは、任意の従来の、または他のセンサ（例えばエンコーダ、ポテンシオメータ、その他）によって実装され得、任意の適切な位置に配置されてプリズムの回転を測定する。これらの測定値はコントローラに提供され、以下に記述されるような所望の向きおよび入って来る光線の操縦に対して、プリズムの回転の制御を可能にする。コントローラは、プリズムの向きの次の調節のために（例えば、視野を変えるために）、および以下に記述されるように、イメージ処理技術を受け取られたイメージに対して適用するために（例えば、光線スキンティング（ｓｑｕｉｎｔｉｎｇ）、フィールドひずみ、その他の悪影響に対して補正するために）、センサの測定値をさらに利用する。
【００３７】
あるいは、望遠すなわちズームレンズ１５は、プリズム２５と一体のユニットとして実装され得、この場合、組み合わされたレンズおよびプリズムは、望遠レンズの外観を有し得る。これは、セキュリティカメラシステムは実際は、プリズムにより実質的に軸から外れたエリアを観察している間に、セキュリティカメラシステムが、特定の方向にねらいが定められることを可能にする。オブザーバはたぶん、セキュリティカメラシステムが、望遠レンズの方向に沿って向けられていると考えるので、疑わしい活動のモニタリングは、対象に対してカメラが向けられているという明白な問題を伴わずに実行され得る。従って、被疑者は、セキュリティカメラシステムの視野内に身を置く可能性がより大きく、これによって、より容易かつ目立たない情報の確認が可能となる。さらに、組み合わされたレンズおよびプリズムは、写真家が、対象（例えば、野生生物、子供、その他）のイメージを目立たないように捕捉するためのレンズユニットとして形成され得る。
【００３８】
セキュリティカメラシステム１０は好ましくは、広い視野を包含する広角のステアリング（ｓｔａｒｉｎｇ）モードを含む。この場合、プリズム２５は、操縦効果をほとんど提供しないか、一切提供しないように方向付けられる。セキュリティカメラシステムは、ハイレゾリューションズームモードをさらに含み、この場合、望遠すなわちズームレンズ１５は、関心の領域（または該領域内の物体）に焦点を合わせ、プリズムは、入って来る光線を操縦し、関心の領域（または物体）が、セキュリティカメラシステムの視野の中心に残ることを可能にする。セキュリティカメラシステムが、広角ビューモード（例えば＋／−６０°まで）にある場合、プリズムの操縦能力はほぼ、カメラおよび望遠レンズの組み合わせの瞬間の視野（ＩＦＯＶ）である（そして好ましくは、これよりもわずかに大きい）。例えば、７２°×９６°のエリアを包含する広角モードにおいて、ＩＦＯＶの対角線のコーナーはほぼ１２０°離れている。
【００３９】
図３Ａ〜図３Ｂを参照して、光線７は、周囲の環境からプリズムアセンブリ１６によって受け取られる。光線は、第１のプリズム２５を横切り、プリズム特性によって屈折させられる。屈折させられた光線は次に、第２のプリズム２５を横切り、該第２のプリズムの特性によって再び屈折させられる。互いに対するプリズム２５の向きは、プリズムが、レンズアセンブリ１４のレンズ１５への転送のための、結果として生じる光線を総体的に生み出すことを可能にする。実質的に、プリズム２５の向きは、特定の視野からの光線が、レンズアセンブリへ通されることを可能にする。例えば、プリズム２５は、図３Ａにおいて、光線の操縦をほとんど提供しないように向けられる。これは通常、セキュリティカメラシステムが、広角ステアリングモードにある場合に生じる。この場合、セキュリティカメラシステム１０は、セキュリティカメラシステムが向けられている視野に焦点が合わせられている。従って、セキュリティカメラシステム１０の正面からの光線は、受け取られてレンズアセンブリ１４へ通される。
【００４０】
しかしながら、図３Ｂに例示されるように、プリズム２５が光線の操縦を提供するように方向付けられている場合、光線の操縦の方向からの光線は、受け取られてレンズアセンブリへ転送される。これは通常望遠すなわちズームモードで生じ、この場合、アクチュエータ１７がレンズ１５を操作し、所望のズームレベルおよび対応する焦点を提供する。この場合は、セキュリティカメラシステム１０は、下向きに焦点が合わされ（例えば図３Ｂに見られるように）、該下向きの方向からの光線は、受け取られて、レンズアセンブリへ転送される。プリズムの回転は基本的に、セキュリティカメラシステム１０が視野を変え、任意の所望の領域をスキャンすることを可能にする。
【００４１】
コントローラ１８は、アクチュエータ１７を制御してレンズ１５を操作し、さらにモータ３０を制御し、以下に記述される分析（例えば、所望の操縦角θＳまたはψを達成するための式１〜１１）に基づいて、所望の操縦効果を達成するようにプリズムを回転させる。コントローラは、両プリズムを同時に操縦して所望の向きを達成し得るか、または１つのプリズムは静止し、一方、他方のプリズムは操作される。コントローラは、様々な入力デバイス１９（例えばボタン、スライド、スイッチ、その他）に結合され得、ユーザが、所望のビューイング動作（例えばズームレベルまたはモード、広角モード、スキャンイングまたはビューイング方向、その他）を入力することを可能にする。
【００４２】
光線を操縦または屈折させるために、本発明の実施形態によって使用され得る例示的な光学ウェッジプリズム２５が、図４Ａ〜図４Ｂおよび図５〜図６に例示されている。最初に、プリズム２５は実質的に円形であり、ウェッジ角（例えば、垂直の光学軸８０に沿った変化するプリズムの厚さ、ただし、ウェッジ角は、ウェッジまたはプリズム狭部によって定義される）を提供する概ね三角形の（またはウェッジ状の）横断面（図４Ａ）を含む。プリズムは好ましくは、従来のリズレータイプのプリズムの光学的特性を含む。プリズムは、平面（例えば非球面）をさらに含み、それによってセキュリティカメラシステムの前に平らなアパーチャを提供する。しかしながら、プリズムはあるいは、任意の所望の構成または光学的特性（例えばレンズ、プリズム、球面、その他）を有する任意の適切な光学デバイスによって実装され得る。
【００４３】
様々なプリズム厚さは、ウェッジ角が、連続する角プリズムの位置において、プリズム光学軸に対して変化することを可能にする（例えば、図６に見られるように、ウェッジ角は、光学軸に対して０°、１０°、２０°、３０°および４５°のプリズム回転で変化する）。プリズム２５の断面は、ベースとベースに相対して配置される切頭頂点（図５）を含み、外側のプリズムフェースは、ウェッジ角で方向付けられ、プリズムの回転６０の軸（図４Ａ）に対して垂直ではない（例えば、プリズムがその周りを回転する軸であって、該軸は通常、プリズムフェースの中心点を貫通する）。
【００４４】
詳細には、光線７（図４Ｂ）は、プリズム２５を横切るように向けられる。プリズムを出る光線の伝播は、次のようにスネルの法則から決定され得る。
【００４５】
【数１】
0005371350.tif 000002
ここで、ｎ１は、光線によって横切られる第１の材料の屈折率であり、ｎ２は、光線によって横切られる第２の材料の屈折率であり、θ１は、第２の材料の中に入る光線の角度であり、θ２は、該材料内で屈折させられた光線の角度である。プリズム２５の方に向けられた光線７に対する関心の操縦角は、回転軸６０（例えば、プリズムの前面および後面の中心点に対して垂直であってこれらを貫通する軸）に対して、スネルの法則に従って決定される。従って、以下に記述されるように、スネルの法則に基づく式の各々（例えば、図４Ｂに見られるように）は、ウェッジ角（例えば、図４Ｂに見られるようなβ）によって調節される式角を有し、回転軸に対する光線操縦値を達成する。
【００４６】
光線７は、角度θ１Ａでプリズム２５に入る。すなわち、プリズムに対する光学軸８０（例えば、最も薄い部分から最も厚い部分に向かって、プリズム点の中心を通る垂直の直線すなわち軸）および回転軸６０を含む平面内である。この角度は、回転軸６０に対する光線の入射の角度αであり、ウェッジ角βによって調節される（例えば、θ１Ａ＝α−β）。光線は、プリズム前面の表面法線７０に対し、θ２Ａで屈折され、次のようにスネルの法則に基づいて決定される。
【００４７】
【数２】
0005371350.tif 000003
ただし、ｎａｉｒは、空気の屈折率であり、ｎＭは、プリズム材料の屈折率であり、θ１Ａは、光線の入射の角度である。
【００４８】
光線はプリズムを横切り、後面の表面法線７０に対する角度θ１Ｂでプリズムの該後面の方に向けられる。この角度は、前および後のプリズム面からのウェッジ角βと組み合わされた、プリズム前面による屈折の角度θ２Ａであり、次のように表される。
【００４９】
【数３】
0005371350.tif 000004
光線はプリズム後面を横切り、プリズム後面の表面法線７０に対して、角度θ２Ｂで屈折させられ、スネルの法則に基づいて次のように決定される。
【００５０】
【数４】
0005371350.tif 000005
ただし、ｎＭは、プリズム材料の屈折率であり、ｎａｉｒは、空気の屈折率であり、θ１Ａは、光線の入射の角度である。回転軸６０に対する屈折の角度θＲは単に、プリズム後面のウェッジ角β（例えば、図４Ｂに見られるような）を差し引いた、プリズム後面の表面法線７０に対する屈折角θ２Ｂであり、次のように表される。
【００５１】
【数５】
0005371350.tif 000006
式を第２の順次プリズムに拡張するためには、追加的な項が必要とされる。特に、スネルの法則は、第１のプリズムによって屈折させられた光線７を、第２のプリズムの光学軸に対してＸおよびＹコンポーネントに分解するプロジェクション技術を介して、追加的なプリズムに適用される。光線のＸコンポーネントは、第１のプリズムを出る光線から導かれる。この光線コンポーネントは、所与の角度ρで第１のプリズムを出、ρは、次のように、式５において、角度αをゼロに設定することによって決定され得る。
【００５２】
【数６】
0005371350.tif 000007
ただし、ｎＭは、プリズム材料の屈折率であり、ｎａｉｒは、空気の屈折率であり、βは、ウェッジ角である。
【００５３】
第２のプリズムの光学軸は、第１のプリズムの光学軸から角度に関してずらされたものであり得る。この場合、第１のプリズムからの光線は、ＸおよびＹコンポーネントに分解される必要がある。第２のプリズムにおける光線の入射の角度のＸコンポーネントは、ウェッジ角に対する影響をもたらす。基本的に、入射の角度は、第２のプリズムのウェッジ角がより大きく現れるようにし（図６）、それによって、第２のプリズムにおける光線に対してより大きな操縦効果を引き起こす。
【００５４】
第２のプリズムの中への光線の入射の角度、およびウェッジ角の効果的な増加を説明するために、新しいウェッジ角βγが、入射の角度のＸ軸に沿ったウェッジ角の拡大から導かれ、次のように表現され得る。
【００５５】
【数７】
0005371350.tif 000008
ここで、βは、ウェッジ角であり、ρは、第１のプリズムを出る光線のＸコンポーネントであり、γは、第１および第２のプリズムの光学軸間の角度のずれである。新しい効果的なウェッジ角は、プリズムが光線を操縦する量を増加させる。
【００５６】
第２のプリズムによって操縦された結果として生じる光線（例えば、Ｙ軸または第２のプリズムの光学軸に平行な軸に沿った光線）のＹコンポーネントは、スネルの法則から決定され得、次のように表され得る。
【００５７】
【数８】
0005371350.tif 000009
ただし、ｎＭは、プリズムの材料の屈折率であり、ｎａｉｒは、空気の屈折率であり、βγは、新たに導かれたウェッジ角であり、ρは、第１のプリズムを出る光線のＸコンポーネントであり、γは、第１および第２のプリズムの光学軸間の角度のずれである。
【００５８】
Ｘ軸（例えば、第２のプリズムの光学軸に対して垂直の横軸）に沿う光線のＸコンポーネントは、ウェッジ（例えば、同じ厚さまたはウェッジ角を提供する垂直の光学軸に対して垂直のスライスに類似した）を実際には見ないので、操縦される光線に対して結果として生じる角度のＸコンポーネントは、基本的には変化しない。従って、操縦角θＸの結果として生じるＸコンポーネントは、第１のプリズムによって生み出され、次のように表される。
【００５９】
【数９】
0005371350.tif 000010
ただし、ρは、第１のプリズムを出る光線のＸコンポーネントの角度であり、γは、第１および第２のプリズムの光学軸間の角オフセットである。
【００６０】
結果として生じる操縦角θＳの大きさは、θＸおよびθγの二乗和平方根（ＲＳＳ）によって与えられ、次のように表され得る。
【００６１】
【数１０】
0005371350.tif 000011
一般的に、第２のプリズムの光学軸とフィールドオブリガード（ｆｉｅｌｄ  ｏｆ  ｒｅｇａｒｄ）（ＦｏＲ）との間の任意の整列が、実装において使用される。上の式は、もう１つの座標変換（例えば、Ｚ軸または回転の軸と平行な軸の周りでの回転）を適用することによってさらに拡張され得、この場合、光線を操縦するための最も一般的な形が取得され、ＦｏＲ全体の内で、任意の点が達成され得る。これは、フィールドスペースにおける極座標内で、次のように表される。
【００６２】
【数１１】
0005371350.tif 000012
ただし、ψは、操縦の回転コンポーネントを表し、ψ０は、第２のプリズムの光学軸とフィールドオブリガードの座標系との間の回転を表し、θＸは、光線に対する操縦角のＸコンポーネントを表し、θＹは、光線に対する操縦角のＹコンポーネントを表す。
【００６３】
図５を参照して、例示的な光学ウェッジプリズム２５（例えば、図４Ａおよび図６に対して反転された）は、プリズム回転軸６０に対して垂直な平面の周りで対称的である。プリズム２５は通常、接頭頂点に最も近い部分での公称厚さｔｍを含む。プリズムは、屈折率ｎ１を含み、一方、周囲の媒体（例えば空気）は、通常約１．００の屈折率ｎ０を含む。プリズム２５に対する平均の屈折率は、プリズム部分または直線（例えば、図５に見られるような点線に沿って）に対して、プリズム２５のベースエッジからの該直線の距離ｙの関数として、次のように決定され得る（例えば、線分の長さに基づく直線に沿う線分に対する屈折率の加重平均）。
【００６４】
【数１２】
0005371350.tif 000013
ただし、ｎ１は、プリズム２５の屈折率であり、ｎ０は、空気の屈折率であり、Ｄは、プリズム２５の直径または長手方向の寸法であり、ｙは、プリズムエッジからの距離であり、βは、プリズム２５のウェッジ角である。プリズム２５の公称厚さｔｍは、平均の屈折率に寄与しない。なぜならば、プリズムの屈折率は、公称厚さによって包含されたエリア（例えば、図５において見られるような垂直の点線間）においては比較的一定のままであるからである。
【００６５】
距離ｙの関数としてのプリズム２５の平均の屈折率における線形の変化は、次のように、プリズム２５の操縦角を決定する。
【００６６】
【数１３】
0005371350.tif 000014
ただし、ｎ１は、プリズム２５の屈折率であり、ｎ０は、空気の屈折率であり、Ｄは、プリズム２５の直径または長手方向の寸法であり、βは、プリズム２５のウェッジ角である。従って、一定の平均の屈折率の変化
【００６７】
【数１４】
0005371350.tif 000015
を有するプリズム２５は、次のように表されるウェッジ角βを有するプリズムの光線操縦特性を提供する。
【００６８】
【数１５】
0005371350.tif 000016
ただし、ｎ１は、プリズム２５の屈折率であり、ｎ０は、空気の屈折率であり、Ｄは、プリズム２５の直径または長手方向の寸法である。
【００６９】
所望のプリズム特性（または第１および第２のプリズム２５に対する操縦角θＲおよびθＳ）は、所与の角度のずれγに対して選択され得、この場合、プリズムに対してこれらの特性および物理的属性（例えば、平均の屈折率、直径、等）を提供するウェッジ角βは、上の式（例えば式１〜式１４）から決定され得る。第１および第２のプリズム２５に対するウェッジ角βは、所望の特性次第で、同じか、または異なり得る。
【００７０】
従って、光線に対する所望の操縦角θＳまたはψに基づいて、コントローラ１８（図１）は、上の式（例えばプリズムの既知の特性（例えば、材料および空気の屈折率、ウェッジ角度、その他）を用いた式６〜式１１）を利用し、第１および第２のプリズムの間で必要とされる角オフセットγを決定し、その次にモータ３０を制御して適切な方法でプリズムを方向付け、所望の態様で光線を操縦するかまたは視野を変え得る。
【００７１】
図１に戻って、イメージングの用途に対するプリズムベースの光線操縦は、カメラ１２によって捕捉されたイメージに対して様々な効果を導入する。例えば、プリズムの分散効果は、捕捉されたイメージのコントラストおよびレゾリューションを低減する。従って、プリズム２５は、表面の１つに適用されるグレーティングを含み得、それによって「グリズム」を作成し得る。グリズムは、関心のスペクトル範囲の上での分散を制御するための用途に対して特に設計される。プリズム光線操縦のさらなる効果は、フィールドひずみを含む。特に、プリズムが光線を操縦するとき、光線は、操縦の軸に沿って圧縮される。これは、イメージに対して「押しつぶされた」概観を作成する。例えば、最初に広い視野（例えば６０°）を有するカメラは、エッジにおいて、約１５％までのひずみを経験するが、中央にはひずみはない。しかしながら、１°の視野を有するカメラは、本質的に、視野角の関数としてのひずみを経験しない。この場合、ひずみはすべて、プリズムの操縦から生み出される。例として、４５°の操縦角を有する１°の視野は、操縦の軸に沿う押しつぶされたイメージとしての概観を呈するほぼ３０％のほぼ均一なイメージひずみを含む。
【００７２】
コントローラ１８は、イメージ処理技術（例えば、イメージ処理ソフトウエアの形で）の使用により、これらの効果に取り組む。コントローラは、カメラ１２から捕捉されたイメージを受け取り、該イメージを調節してひずみ効果に対して補正する。コントローラは、任意の適切な従来のイメージ処理技術を適用して、ひずみに対して補正し得る。コントローラは、センサ２９（図２）からプリズム方向付け情報を受け取り、イメージ処理の間に、セキュリティカメラシステムの光線操縦角および視野を考慮に入れる。結果として生じるイメージは、表示デバイス２０に表示され得るか、かつ／またはイメージ格納ユニット２１に格納され得る。
【００７３】
コントローラ１８は、モーションコントローラとしてさらに機能し、プリズムの動きまたは回転を望遠すなわちズーム能力と調整する。特に、セキュリティカメラシステムが、広い視野に対して焦点が当てられている間には、ズーミングに対する関心の特定の領域は、軸上にはないことがあり得る。この場合、ユーザは、セキュリティカメラシステムに（入力デバイス１９を介して）関心の領域に焦点を合わせるように命令する。コントローラは、レンズアセンブリアクチュエータ１７（図３Ａ〜図３Ｂ）を制御してレンズ１５を操作し、該エリアをズームインし、モータ３０をさらに制御してプリズム２５を回転させ、視野をパンして標的または所望の物体を中央に維持する。コントローラ１８は、任意の従来の、または他のイメージ処理技術を使用し、捕捉されたイメージ内の標的または所望の物体を特定し得る。イメージ内で特定された標的の位置は、視野に対する調節を決定するために利用される。コントローラ１８はそれに従ってモータ３０を制御し、標的を視野の中央部分内に置くように視野を調節する態様でプリズムを方向付ける。従って、コントローラ１８は基本的に、視野の最近捕捉されたイメージ内での標的の位置に基づいてフィードバックループを実装し、プリズムを調節する。コントローラは、プリズムを調節し、視野内の任意の適切な位置に標的を置き得る。
【００７４】
セキュリティカメラシステムは、壁または他の構造に取り付けられた小さな目立たないディスクとしての外観を呈し得る。セキュリティカメラシステムは、小さな形状因子および変化する条件（例えば銀行強盗、この場合、銀行は暴漢の顔の、良好なイメージを所望する）に対する素早い反応を含む。従って、セキュリティカメラシステムの近くに立つ人物は、ディスクの背後のセキュリティカメラシステムの存在に気付き得ず、向きにかかわらず、カメラビューまたは動作を判断し得ない。これは、様々なセキュリティ状況に対して、多くの利点を提供する。さらに、この機能は、野生生物のオブザーバに対して有利であり、この場合、研究者は、特定の動きが生じたとき、追跡のためにセキュリティカメラシステムを使用し得る（例えば、環境を乱す可能性ははるかに低い）。
【００７５】
コントローラ１８が、セキュリティカメラシステムの動作を制御する態様は、図７に例示されている。最初に、セキュリティカメラシステム１０（図１）は、適切な方法で（例えば、支持面または構造、その他に）取り付けられ、所望のエリアをモニタする。特に、所望のモード（例えば、広角ステアリング、ズーム、その他）が、入力デバイス１９を介してユーザによって入力され、ステップ４０においてコントローラ１８によって受け取られる。ステップ４２において広角ステアリングモードが所望されることが判断された場合、コントローラ１８は、上述のようにレンズアセンブリ１４（例えばアクチュエータ１７）を制御して、ステップ４４において適切な広角ビューを提供し、さらにステップ４６において、上述のようにプリズムアセンブリ１６（例えばモータ３０）を制御し、光線操縦をほとんど提供しないようにプリズム２５を方向付ける。ステップ４８において、セキュリティカメラシステムビュー（例えばねらいの方向）からのイメージは、カメラ１２によって捕捉され、ビューイングおよび／または格納に対して上述のようにコントローラ１８によって処理される。
【００７６】
ステップ４２において、ズームモードが所望されることが判断されたとき、コントローラ１８は、ステップ５０において、上述されたようにレンズアセンブリ１４（例えばアクチュエータ１７）を制御し、ユーザによって入力された所望のズームレベルおよび対応する焦点を提供する。コントローラはステップ５２において、上述されたように、プリズムアセンブリ１６（例えばモータ３０）をさらに制御し、プリズム２５を方向付けて入って来る光線を操縦し、関心のある所望の領域を観察する。ステップ５４において、セキュリティカメラシステムビュー（例えば、光線操縦の方向）からのイメージは、カメラ１２によって捕捉され、ビューイングおよび／または格納に対して上述のようにコントローラ１８によって処理される。
【００７７】
セキュリティカメラシステムが、ステップ５６において、動きを追跡するように向けられることが判断された場合、コントローラ１８は、プリズムアセンブリを制御して、視野における所望の位置内に物体を維持する。特に、コントローラは、ステップ５８において、捕捉されたイメージを処理し、これらのイメージ内で物体の位置を特定する。ステップ６１において、特定された位置は、上述されたように、プリズムアセンブリ１６（例えばモータ３０）を制御するために利用され、光線を操縦して（または、セキュリティカメラシステムの視野を調節して）、視野内の所望の位置に物体を置く。これは、セキュリティカメラシステムが、関心の領域内で、対象または物体の動きを基本的に追跡する（例えば、関心の領域内で暴漢または侵入者を追跡し、かつ／または後を追う）ことを可能にする。ステップ６２において、セキュリティカメラシステムビュー（例えば光線操縦の方向）からのイメージは、カメラ１２によって捕捉され、ビューイングおよび／または格納に対して上述のようにコントローラ１８によって処理される。プロセスは、追跡モーションモードが、ユーザによって終了させられるまで反復される（例えば、ステップ５８、６１、および６２）。
【００７８】
ステップ６４において、セキュリティカメラシステムがエリアをスキャンするように向けられることが決定されたとき、コントローラ１８はステップ５２において、上述されたように、プリズムアセンブリ１６（例えばモータ３０）を制御し、プリズムを連続的に回転させ、光線操縦（および視野）を変え、関心の領域をスキャンする。この場合、視野は絶えず変えられ、関心の領域を効果的にスキャンする。ステップ５４において、セキュリティカメラシステムビュー（例えば光線操縦の方向）からのイメージは、カメラ１２によって捕捉され、ビューイングおよび／または格納に対して上述のようにコントローラ１８によって処理される。プロセスは、スキャンモードが、ユーザによって終了させられるまで反復される（例えば、ステップ５２および５４）。上述のコントローラ動作は、ユーザが、ステップ６６において、セキュリティカメラシステムを不能にすることが判断されるまで反復される。
【００７９】
セキュリティカメラシステムの動作モード（例えばステア（ｓｔａｒｅ）、ズーム、スキャン、追跡、その他）は、個々に、または任意の適切な組み合わせで使用され得、様々な機能を実行し得ることは理解されるべきである。例えば、物体を特定するために、エリアがセキュリティカメラシステムによって、最初に観察され得るか（例えばステアモード）、またはスキャンされ得（例えばスキャンモード）、次にエリア内で物体の動きを追跡するためにズームインされる。さらに、ステアモードは、次のズーミングおよび／またはスキャニングに対して、関心の領域を特定するために利用され得る。様々なモードが、コントローラ１８を介して自動的に、または入力デバイス１９を介するユーザ入力コマンドに従って手動で入力され得る。
【００８０】
上述され、かつ図面で例示された実施形態は、視野を変えるために光線を操縦するセキュリティカメラシステムおよび方法を実装する多くの方法のうちの幾つかを表すだけであることは理解される。
【００８１】
セキュリティカメラシステムコンポーネントは、関心のエリアに対する任意の所望の位置における配置または取り付けのために、任意の適切な筐体内に収納され得る。好ましくは、セキュリティカメラシステムは、制限された視界、および／またはカモフラージュされもしくは隠れた視界のために、該エリア内の位置に配置される。セキュリティカメラシステムは、任意の適切な電源（例えば、ウォールアウトレットジャック（ｗａｌｌ  ｏｕｔｌｅｔ  ｊａｃｋ）、バッテリ、または他の携帯用電源、その他）から電力を受け取り得る。カメラは、任意の従来の、または他のイメージ捕捉デバイス（例えば、ＣＣＤアレイ、光検出器、その他）の任意の個数によって実装され得、任意の適切なレゾリューションのイメージを生み出し得る。レンズアセンブリは、任意の適切な光学的特性（例えば、任意のズーム特性、広角特性、焦点調節特性、その他）を有する任意の従来の、または他のレンズもしくは光学デバイスの任意の個数を含み得る。アクチュエータは任意の個数であり得、任意の従来の、または他のメカニズム（例えばモータ、その他）によって実装されてレンズを調節し得る。
【００８２】
レンズは、プリズムと一体のユニットとして実装され得、この場合、組み合わされたレンズおよびプリズムアセンブリは、レンズユニットの概観を有し、かつレンズユニットとして利用され得る。レンズユニットは、様々なイメージ捕捉または光学デバイス（例えばスチールまたはビデオカメラ、その他）と共に利用され得、イメージ（例えば野生生物、子供、容疑者、その他）の目立たない捕捉を可能にし得る。
【００８３】
表示デバイスは、任意の従来の、または他の表示デバイス（例えばＬＣＤ、その他）の任意の個数によって実装され得、任意の形状またはサイズであり得、かつ任意の適切な位置（例えば、セキュリティカメラシステムの内側または外側、セキュリティカメラシステムの近くまたはこれから離れた位置、その他）に配置され得る。イメージ格納ユニットは、任意の従来の、または他の格納ユニットもしくは構造（例えばメモリ、バッファ、データベース、その他）の任意の個数によって実装され得る。カメラからのイメージは、コントローラによる処理の前に、または後に、イメージ格納ユニットの中に格納され得る。イメージ格納ユニットは、任意の適切な位置（例えばセキュリティカメラシステムの内側または外側、セキュリティカメラシステムの近くまたはこれから離れた位置、その他）
に配置され得る。
【００８４】
プリズムアセンブリは、任意の所望の方法で配列された任意の個数のコンポーネント（例えばモータ、回転アセンブリ、センサ、その他）を含み得る。プリズムアセンブリは、任意のタイプの光線を任意の所望の態様で操縦するために任意の所望の方法で配列かつ／または方向付けられた任意の個数のプリズムおよび／または他の光線操作デバイスを使用し得る。回転アセンブリは、任意の個数、形状またはサイズであり得、任意の従来の、または他のアセンブリで実装され得る。回転アセンブリは、光線操作デバイス（例えばプリズム、その他）を固定かつ回転させるための任意の適切な回転メカニズム（例えば回転リング、プラットフォームまたは他の適切な構造）を含み得、任意の適切な位置に配置され得る。回転アセンブリは、任意の適切な向きに対して光線操縦デバイス（例えばプリズム、その他）を操作し得、所望の態様で光線を操縦し得るか、または視野を調節し得る。モータは、任意の個数、形状またはサイズであり得、任意の従来の、または他のモータもしくはアクチュエータによって実装され得、光線操縦デバイス（例えばプリズム、その他）を回転させ得る。
【００８５】
センサは任意の個数であり得、任意の従来の、または他のセンサ（例えばエンコーダ、ポテンシオメータ、その他）によって実装され、光線操作デバイス（例えばプリズム、その他）の回転および／または他のシステム状態を測定し得る。センサは任意の適切な位置に配置され得、光線操作デバイス（例えばプリズム、その他）の回転（例えばモータ、回転アセンブリ、その他）を測定し得る。
【００８６】
コントローラは任意の個数であり得、任意の従来の、または他のコントローラもしくはプロセッサ（例えばマイクロプロセッサ、コントローラ、制御回路網、ロジック、その他）によって実装され得る。コントローラは、カメラからイメージを受け取り得、かつ／または捕捉されたイメージを格納から検索してイメージ処理を実行し得る。コントローラは、任意の従来の、または他のイメージ処理技術を使用し、捕捉されたイメージにおける任意の効果または変形（例えばひずみ、押しつぶれ、その他）に対して補正し得る。コントローラはレンズアセンブリを制御し、任意の適切なビュー（例えばズーム、広角、その他）を提供し得、プリズムアセンブリを制御し、任意の適切な視野を提供し得る。コントローラは、ユーザの入力またはユーザ特定もしくは他の条件の発生に基づき、セキュリティカメラシステムに対する任意の適切なモード（例えばズーム、ステア、追跡、スキャン、その他）を実装し得る。モード（例えばステア、ズーム、追跡、スキャン、その他）は個々に、または任意の組み合わせで利用され得る。コントローラは、視野における任意の所望の位置内での追跡および／または配置に対して、該視野内において任意の適切な物体を特定し得る。コントローラは、任意の従来の、または他のイメージ処理技術を使用し、捕捉されたイメージ内で所望の物体を特定し得る。セキュリティカメラシステムは、任意の適切な外部デバイスとの組み合わせで利用され得、かつ／または任意の適切な外部デバイスによって制御され得、この場合、セキュリティカメラシステム（例えばコントローラ、その他）は、さらなる処理、格納および／または表示（例えばコンピュータシステム、リモート表示またはモニタ、その他）に対して、捕捉されたまたは処理されたイメージイメージを、外部デバイスにさらに提供し得る。
【００８７】
入力デバイスは任意の個数であり得、任意の従来の、または他の入力デバイス（例えばボタン、スイッチ、スライド、キーパッド、その他）によって実装され得、任意の適切な位置（例えばセキュリティカメラシステムに、またはその外側に）に配置され得る。さらに、入力デバイスは、セキュリティカメラシステムとの有線または無線インターフェースを有する制御ユニットの形であり得る。
【００８８】
プリズムは任意の個数、形状、サイズ、または厚さであり得、任意の適切な材料を含み得る。プリズムは、任意の所望の操縦効果または屈折の角度を提供するように構成され得、任意の所望の光学的特性（例えば、プリズム、レンズおよび／または他の光線操縦デバイスの）および／または表面（例えば平面、非球面、球面、その他）を含み得る。プリズムは、任意のタイプの被覆またはグレーティングを含み、光線操縦の効果に対して補正し得る。プリズムは、互いに対して任意の方法（同時入射、部分的同時入射、任意の回転または角度のずれ、任意の分離距離、その他）で方向付けられ、任意の所望の光線操縦（または視野の変化）の程度を提供し得る。
【００８９】
本発明の実施形態のコントローラに対するソフトウエア（例えばイメージ処理、制御、その他）は、任意の所望のコンピュータ言語で実装され得、本明細書および図面に例示された流れ図に含まれる機能に関する記述に基づいて、コンピュータ技術における当業者によって開発させられ得る。さらに、様々な機能を実行するソフトウエアへの本明細書における参照は概して、ソフトウエア制御の下でそれらの機能を実行するコンピュータシステムまたはプロセッサにも及ぶ。本発明の実施形態のコントローラは、あるいは、任意のタイプのハードウエアおよび／または他の処理回路網によって実装され得る。コントローラの様々な機能は、任意の個数のソフトウエアモジュールまたはユニット、処理システムまたはコンピュータシステムおよび／または回路網の間で任意の態様で分散され得、この場合、コンピュータまたは処理システムは、互いから近くにまたは遠くに配置され得、任意の適切な通信媒体（例えばＬＡＮ、ＷＡＮ、イントラネット、インターネット、ハードウエア、モデム接続、ワイアレス、その他）を介して通信し得る。上述されかつ流れ図に例示されたソフトウエアおよび／またはアルゴリズムは、本明細書に記述された機能を達成する任意の態様で変更され得る。さらに、流れ図または記述における機能は、所望の動作を達成する任意の順序で実行され得る。
【００９０】
本発明の実施形態のソフトウエアは、スタンドアローンシステムまたはネットワークもしくは他の通信媒体によって接続されているシステムにおける使用のための、記録可能またはコンピュータ読み取り可能な媒体（例えば磁気または光学媒体、磁気光学媒体、フロッピー（登録商標）ディスケット、ＣＤ−ＲＯＭ、ＤＶＤ、メモリデバイス、その他）を有する任意のデバイスまたは装置において利用可能であり、かつ／またはネットワークまたは他の通信媒体を介して、システムにダウンロード（例えば搬送波、パケット、その他の形で）され得る。
【００９１】
本発明の実施形態のセキュリティカメラシステムは、本明細書に開示された特定の用途に限定されず、イメージのモニタリングまたは捕捉を実行する任意の状況に適用され得る。
【００９２】
用語「トップ」、「ボトム」、「フロント」、「リア」、「サイド」、「高さ」、「長さ」、「幅」、「上部」、「下部」、「厚さ」、「垂直の」、「水平の」などは、本明細書において、参照の点を記述するためにだけ使用され、本発明の実施形態を任意の特定の向きまたは構成に限定しないことは理解されるべきである。
【００９３】
上述から、本発明は、光線を操縦して視野を変える新規なセキュリティカメラシステムおよび方法を利用可能とし、セキュリティカメラシステムは、入って来る光線を操縦して視野を制御、調節する複数の回転可能なプリズムを含むことは理解される。
【００９４】
光線を操縦して視野を変える新しく、かつ改良されたセキュリティカメラシステムおよび方法の好ましい実施形態を記述したが、他の変更、変形、および変化が、本明細書に述べられた教示に照らして当業者に対して示唆されることは考えられる。従って、すべてのそのような変形、変更および変化は、添付された請求項によって定義されるとおりの本発明の範囲内に該当すると考えられることは理解される。
【図面の簡単な説明】
【００９５】
【図１】図１は、本発明の実施形態による、セキュリティカメラシステムの概略的なブロック図である。
【図２】図２は、本発明の実施形態による、図１のセキュリティカメラシステムのプリズムアセンブリの概略的なブロック図である。
【図３Ａ】図３Ａ〜図３Ｂは、本発明の実施形態による、図１のセキュリティカメラシステムのレンズおよびプリズムアセンブリを横切る例示的な光線の図式的な例示である。
【図３Ｂ】図３Ａ〜図３Ｂは、本発明の実施形態による、図１のセキュリティカメラシステムのレンズおよびプリズムアセンブリを横切る例示的な光線の図式的な例示である。
【図４Ａ】図４Ａは、本発明の実施形態による、図１のセキュリティカメラシステムによって使用される例示的なウェッジプリズムの部分断面における斜視図である。
【図４Ｂ】図４Ｂは、図４Ａの例示的なウェッジプリズムによって操縦される光線の図式的な例示である。
【図５】図５は、図４Ａに対して反転された位置において例示された例示的なウェッジプリズムの正面断面図である。
【図６】図６は、変化するウェッジ角を例示する図４Ａの例示的なウェッジプリズムの部分断面図である。
【図７】図７は、コントローラが、本発明の実施形態によるセキュリティカメラシステムの動作を制御する態様を例示する手順の流れ図である。
【符号の説明】
【００９６】
１０  セキュリティカメラシステム
１２  イメージデバイス
１４  レンズアセンブリ
１６  プリズムアセンブリ
１８  コントローラ
２０  表示デバイス
２１  イメージ格納ユニット
２３  回転アセンブリ
【図１】
0005371350.tif 000017
【図２】
0005371350.tif 000018
【図３Ａ】
0005371350.tif 000019
【図３Ｂ】
0005371350.tif 000020
【図４Ａ】
0005371350.tif 000021
【図４Ｂ】
0005371350.tif 000022
【図５】
0005371350.tif 000023
【図６】
0005371350.tif 000024
【図７】
0005371350.tif 000025